(57)【要約】【課題】被カバー部材に対して開閉自在なカバー部材の位置ずれの発生を防止することができるカバー構造及びそのカバー構造を備えたカバー装置並びにそのカバー装置を備えた電子機器を提供すること。【解決手段】カバー部材１６０の底面１６０ａに設けられた凸部１１が嵌る凹部１２が被カバー部材１０１の天面１０１ａに設けられ、前記凸部の両側面１１ａ、１１ｂが前記凹部の両側内面１２ａ、１２ｂに所定のクリアランスで位置決めされる。これにより、カバー部材を長期に亘って開閉動作しても、カバー部材に設けた凸部の両側面が被カバー部材に設けた凹部の両側面に所定のクリアランスで嵌り込むので、カバー部材と被カバー部材との間の左右方向（側面方向）の位置ずれの発生を抑えることができる。【選択図】図２
2008073868.tif 000002
【特許請求の範囲】
【請求項１】
被カバー部材に対して開閉自在なカバー部材を備えたカバー構造であって、
前記カバー部材の底面に設けられた凸部が嵌る凹部が前記被カバー部材の天面に設けられ、前記凸部の両側面が前記凹部の両側内面に所定のクリアランスで位置決めされることを特徴とするカバー構造。
【請求項２】
前記カバー部材は、前記被カバー部材に対して回動して開閉することを特徴とする請求項１に記載のカバー構造。
【請求項３】
前記カバー部材は、前記凸部の底面と前記被カバー部材の天面との距離が所定値になるまでは回動規制されていることを特徴とする請求項２に記載のカバー構造。
【請求項４】
前記凸部の前後面が、前記凹部の前後内面と所定のクリアランスで位置決めされることを特徴とする請求項１〜３の何れか一項に記載のカバー構造。
【請求項５】
前記凸部は、前記カバー部材の側部近傍に設けられていることを特徴とする請求項１〜４の何れか一項に記載のカバー構造。
【請求項６】
請求項１〜５の何れか一項に記載のカバー構造を備えたことを特徴とするカバー装置。
【請求項７】
請求項６に記載のカバー装置を備えたことを特徴とする電子機器。
【発明の詳細な説明】
【技術分野】
【０００１】
本発明は、被カバー部材に対して開閉自在なカバー部材を備えたカバー構造及びそのカバー構造を備えたカバー装置並びにそのカバー装置を備えた電子機器に関する。
【背景技術】
【０００２】
プリンタとスキャナが組み合わされた所謂複合機は、一般的にプリンタ本体の上部にスキャナ本体が配置された構成となっている。スキャナ本体はプリンタ本体に対して背面側を回動軸として開閉自在なカバー装置として取り付けられており、スキャナ本体を後方へ回動させてプリンタ本体の天面に設けられている開口部を開放することにより、プリンタ本体内部のメンテナンス作業等を行うことが可能なようになっている（特許文献１参照）。
【０００３】
【特許文献１】特開２００６−１１７３９５号公報
【発明の開示】
【発明が解決しようとする課題】
【０００４】
上述したカバー装置を構成するスキャナ本体は、比較的重量があることから、長期に亘る開閉動作により特に回動軸方向に取付がたが発生するおそれがある。このため、スキャナ本体とプリンタ本体との間に、回動方向である前後方向に対し直交する左右方向（側面方向）の位置ずれが生じ易い。
【０００５】
本発明は、上記のような課題に鑑みなされたものであり、その目的は、被カバー部材に対して開閉自在なカバー部材の位置ずれの発生を抑えることができるカバー構造及びそのカバー構造を備えたカバー装置並びにそのカバー装置を備えた電子機器を提供することにある。
【課題を解決するための手段】
【０００６】
上記目的達成のため、本発明のカバー構造では、被カバー部材に対して開閉自在なカバー部材を備えたカバー構造であって、前記カバー部材の底面に設けられた凸部が嵌る凹部が前記被カバー部材の天面に設けられ、前記凸部の両側面が前記凹部の両側内面に所定のクリアランスで位置決めされることを特徴としている。これにより、カバー部材を長期に亘って開閉動作しても、カバー部材に設けた凸部の両側面が被カバー部材に設けた凹部の両側内面に所定のクリアランスで嵌り込むので、カバー部材と被カバー部材との間の左右方向（側面方向）の位置ずれの発生を抑えることができる。
【０００７】
また、前記カバー部材は、前記被カバー部材に対して回動して開閉することを特徴としている。これにより、特に回動により発生し易いカバー部材の回動軸方向の取付がたを矯正することができる。また、前記カバー部材は、前記凸部の底面と前記被カバー部材の天面との距離が所定値になるまでは回動規制されていることを特徴としている。これにより、カバー部材が重量がある場合に生じ易い回動途中での自動的な閉動作による不具合を防止することができる。また、前記凸部の前後面が、前記凹部の前後内面と所定のクリアランスで位置決めされることを特徴としている。これにより、カバー部材と被カバー部材との間の前後方向の位置ずれの発生を抑えることができる。また、前記凸部は、前記カバー部材の側部近傍に設けられていることを特徴としている。これにより、特にカバー部材の側部近傍においては、他の物品等が介在し易いために発生し易い回動途中での自動的な閉動作による不具合を防止することができる。
【０００８】
上記目的達成のため、本発明のカバー装置では、上記各カバー構造を備えたことを特徴としている。これにより、上記各作用効果を奏するカバー装置を提供することが可能である。上記目的達成のため、本発明の電子機器は、上記カバー装置を備えたことを特徴としている。これにより、上記各作用効果を奏する電子機器を提供することが可能である。
【発明を実施するための最良の形態】
【０００９】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１０】
図１は、本発明の一実施の形態に係るカバー構造を備えた電子機器である記録装置の外観構成の全体を示す斜視図である。この記録装置はプリンタ、コピー及びスキャナの機能を有するインクジェット式複合機１００である。このインクジェット式複合機１００は、全体が略直方体状の本発明の特徴的な部分を含むハウジング（被カバー部材）１０１で覆われている。そして、ハウジング１０１の上面における前面側には操作部１１０が配設され、前面における図示左側にはメモリカードスロット部１２０が配設され、前面における図示右側にはディスクスロット部１３０が配設されている。更に、ハウジング１０１の上面における背面側には給紙部１４０が配設され、前面側には排紙部１５０が配設され、上面には本発明の特徴的な部分を含むスキャナ（カバー部材）１６０が配設されている。ハウジング１０１とスキャナ１６０がカバー装置を構成しており、このカバー装置に本実施形態のカバー構造１０（図２等参照）が適用されている。尚、このカバー構造１０の詳細は後述する。
【００１１】
操作部１１０は、略矩形状の操作パネル１１１を備え、この操作パネル１１１の略中央部に操作状態等を表示するユニット化された液晶ディスプレイ１１２が装着されている。そして、液晶ディスプレイ１１２の両側には、パワーをオン・オフするパワー系、用紙の頭出し等を操作したりインクのフラッシング等を操作する操作系、画像処理等を行う処理系等の複数のボタン１１３が配設されている。ユーザは、液晶ディスプレイ１１２を見て確認しながら各種のボタン１１３を操作することができるので、誤操作を防止することができる。
【００１２】
メモリカードスロット部１２０は、図示矢印ａ方向に開閉自在なカバー１２１で覆われている。このメモリカードスロット部１２０は、複数スロット形成され、複数種類のメモリカードに対応可能に構成されている。ユーザは、インクジェット式複合機１００をパーソナルコンピュータに接続しなくても、インクジェット式複合機１００単独の状態でメモリカードスロット部１２０にメモリカードを差し込むのみで、メモリカードに格納されている画像等を記録することができる。
【００１３】
ディスクスロット部１３０は、ＣＤ−Ｒ（Ｃｏｍｐａｃｔ  Ｄｉｓｋ−Ｒｅｃｏｒｄａｂｌｅ）等の読み書き可能なディスクやＤＶＤ−ＲＯＭ（Ｄｉｇｉｔａｌ  Ｖｅｒｓａｔｉｌｅ  Ｄｉｓｋ−Ｒｅａｄ  Ｏｎｌｙ  Ｍｅｍｏｒｙ）等の読み出し可能なディスクに対応可能に構成されている。ユーザは、インクジェット式複合機１００をパーソナルコンピュータに接続しなくても、インクジェット式複合機１００単独の状態でディスクスロット部１３０にディスクを差し込むのみで、ディスクに書き込まれている画像等を記録し、若しくはメモリカードに書き込まれている画像等をディスクに転送して書き込むことができる。
【００１４】
給紙部１４０は、上方に向かって矩形状に開口した給紙口１４１に伸縮自在に設けられ、給紙する用紙を１枚もしくは複数枚サポートする機能を有する多段のペーパーサポート１４２を備えている。ユーザは、インクジェット式複合機１００を使用するときは、ペーパーサポート１４２の先端に指を掛けてペーパーサポート１４２を伸張することができるので、用紙のセッティングを容易に行うことができる。また、インクジェット式複合機１００を不使用のときは、ペーパーサポート１４２の先端を指で押して収縮させることができるので、ペーパーサポート１４２をコンパクトに収納することができる。
【００１５】
排紙部１５０は、前方に向かって矩形状に開口した排紙口１５１を開閉する機能と、排紙される用紙を１枚もしくは複数枚スタックする機能を併せ持ったスタッカ１５２を備えている。このスタッカ１５２は、下端の回転軸を中心に図示矢印ｂ方向に回動可能に取り付けられている。ユーザは、インクジェット式複合機１００を使用又は不使用のときは、スタッカ１５２の上部に指を掛けてスタッカ１５２を開閉することができるので、セッティングを容易に行うことができ、また排紙口１５１内への埃の侵入を防止することができる。更に、記録後の用紙は常に前面側から排紙されるので、ユーザは用紙を容易に取り出すことができる。
【００１６】
スキャナ１６０は、扁平直方体状のスキャナ本体１６１と、平板状のスキャナカバー１６２を備えている。スキャナ本体１６１は、内部に棒状のＣＣＤ（Ｃｈａｒｇｅ  Ｃｏｕｐｌｅｄ  Ｄｅｖｉｃｅ）が前面側から背面側に延びるように配置され、図示しないスキャナモータとベルト機構により幅方向に往復移動可能に配設されている。そして、後端の回転軸を中心に図示矢印ｃ方向に回動可能に取り付けられている。スキャナカバー１６２は、スキャナ本体１６１の上面に取り付けられている図示しないスキャナ用ガラスを覆うように配置され、後端の回転軸を中心に図示矢印ｃ方向に回動可能に取り付けられている。ユーザは、スキャナ１６０を使用するときは、スキャナカバー１６２を開いて原稿をスキャナ用ガラス上に載置し、スキャナカバー１６２を閉じてスイッチをオンさせれば良いので、容易にスキャニング作業を行うことができる。また、ハウジング１０１の内部の機構部等のメンテナンス作業を行うときは、スキャナ本体１６１を開いて図２に示すハウジング１０１の天面１０１ａに設けられている内部点検用窓部１０１ａａを開放させれば良いので、メンテナンス作業効率を向上させることができる。次に、本発明の特徴的な部分であるカバー構造１０について、更に図を参照して説明する。
【００１７】
図２は、インクジェット式複合機１００におけるスキャナ１６０を開いた状態を示す斜視図、図３は、その側面図、図４及び図５は、カバー構造１０を示す斜視図である。カバー構造１０は、図２に示すように、スキャナ１６０側に設けられた凸部１１と、ハウジング１０１側に設けられた凹部１２を備えている。凸部１１は、図３及び図４に示すように、直方体状に形成されており、スキャナ１６０の底面１６０ａから下方に向かって突設されている。即ち、凸部１１は、スキャナ１６０の底面１６０ａにおける図示左側部近傍の背面側であって、スキャナ１６０を閉じてハウジング１０１の天面１０１ａを覆ったときに凹部１２内に嵌め込み可能な位置に設けられている。この凸部１１には、スキャナモータが内蔵されている。凹部１２は、図３及び図５に示すように、直方体状に形成されており、ハウジング１０１の天面１０１ａから内部に抉れて設けられている。即ち、凹部１２は、ハウジング１０１の天面１０１ａにおける図示左側部近傍の背面側であって、スキャナ１６０を閉じたときに凸部１１を嵌め込み可能な位置に設けられている。
【００１８】
ここで、課題でも述べたように、スキャナ１６０は比較的重量があるため、長期に亘る開閉動作により特に回動軸方向に取付がたが発生するおそれがある。このため、スキャナ本体とプリンタ本体との間に、回動方向である前後方向に対し直交する左右方向（側面方向）の位置ずれが生じ易い。そこで、凸部１１が凹部１２内に嵌め込まれたとき、図４に示す凸部１１の両側面１１ａ、１１ｂが図５に示す凹部１２の両側内面１２ａ、１２ｂに所定のクリアランス、即ち位置ずれが発生しないクリアランスで位置決めされるように、凸部１１と凹部１２が設けられている。これにより、スキャナ１６０を長期に亘って開閉動作しても、左右方向（側面方向）は凸部１１の両側面１１ａ、１１ｂと凹部１２の両側内面１２ａ、１２ｂにより規制されるので、回動軸方向の取付がたを矯正して、回動方向である前後方向に対し直交する左右方向（側面方向）のスキャナ１６０とハウジング１０１との間の位置ずれの発生を抑えることができる。
【００１９】
更に、回動方向である前後方向に位置ずれが生じるおそれもある。そこで、凸部１１が凹部１２内に嵌め込まれたとき、図４に示す凸部１１の前後面１１ｃ、１１ｄが図５に示す凹部１２の前後内面１２ｃ、１２ｄに所定のクリアランス、即ち位置ずれが発生しないクリアランスで位置決めされるように、凸部１１と凹部１２が設けられている。これにより、スキャナ１６０を長期に亘って開閉動作しても、前後方向は凸部１１の前後面１１ｃ、１１ｄと凹部１２の前後内面１２ｃ、１２ｄにより規制されるので、前後方向の取付がたを矯正して、回動方向である前後方向のスキャナ１６０とハウジング１０１との間の位置ずれの発生を抑えることができる。
【００２０】
また、図５に示すように、凸部１１の底面１１ｅにおける前面１１ｃ側とハウジング１０１の天面１０１ａとの距離ｄが所定値になるまでは、スキャナ１６０が自重により自動的に閉じないように、例えば捩りコイルバネ等を２安定バネとして用いることにより回動規制されている。この所定値とは、スキャナ１６０が自重により自然に閉じたときにハウジング１０１との間で衝突音発生や部品破損等の不具合が生じない距離ｄをいう。このため、ユーザがスキャナ１６０を閉じるために掛けていた指が外れた場合、凸部１１の底面１１ｅとハウジング１０１の天面１０１ａとの距離が所定値以上のときは、スキャナ１６０は自動的に閉じずにその位置で停止するので、スキャナ１６０とハウジング１０１との衝突による衝撃音発生や部品破損等の不具合を回避することができる。一方、凸部１１の底面１１ｅとハウジング１０１の天面１０１ａとの距離が所定値以下のときは、スキャナ１６０は自動的に閉じるが、上記距離ｄは小さいためスキャナ１６０はハウジング１０１に対し緩やかに閉じ、両者の衝突による衝撃音発生や部品破損等の不具合は発生しない。また、スキャナ１６０の側部近傍において、他の物品等が介在し易く、他の物品等とスキャナ１６０との衝突による衝撃音発生や部品破損等の不具合が発生し易いため、凸部１１と凹部１２は、スキャナ１６０の側部近傍に設けることが望ましい。
【産業上の利用可能性】
【００２１】
カバー構造をハウジングに対するスキャナのカバー装置に適用したが、他のカバー装置にも適用可能である。また、カバー装置を備えた電子機器であれば、例えばファクシミリ装置、コピー装置、スキャナ等の記録装置を含む一般的な電子機器であっても適用可能である。
【図面の簡単な説明】
【００２２】
【図１】本発明の一実施の形態に係るカバー構造を備えた電子機器である記録装置の外観構成の全体を示す斜視図である。
【図２】図１のスキャナを開いた状態を示す斜視図である。
【図３】図１の側面図である。
【図４】図３のカバー構造を示す第１の斜視図である。
【図５】図３のカバー構造を示す第２の斜視図である。
【符号の説明】
【００２３】
１０  カバー構造、１１  凸部、１１ａ、１１ｂ  側面、１１ｅ  底面、１２  凹部、１２ａ、１２ｂ  内側面、１００  インクジェット式複合機、１０１  ハウジング、１０１ａ  天面、１１０  操作部、１２０  メモリカードスロット部、１３０  ディスクスロット部、１４０  給紙部、１５０  排紙部、１６０  スキャナ、１６０ａ  底面
【図１】
2008073868.tif 000003
【図２】
2008073868.tif 000004
【図３】
2008073868.tif 000005
【図４】
2008073868.tif 000006
【図５】
2008073868.tif 000007